(57)【要約】【課題】使用により劣化して消耗した操作部品を新たな操作部品へと交換する際に、容易に操作部品を着脱可能なタッチペン付き筆記具を提供する。【解決手段】軸筒の一端側に筆記先端が設けられ、かつ、他端側に導電性を備えたタッチペンが装着された筆記具において、前記軸筒は導電性材質により一体成形され、前記タッチペンは直接、前記軸筒の他端側に装着され、前記タッチペンと連結しており、該タッチペンと一体となった状態で前記軸筒への固定を行う導電性を備えた介在部材が設けられ、前記介在部材の表面には、前記軸筒と係合するための鍵山が形成され、前記軸筒の他端には、前記鍵山が通過可能な形状の鍵山挿入孔が形成されており、前記鍵山挿入孔の周囲には、前記鍵山が該鍵山挿入孔を通過した後、前記介在部材を回転させることで、該鍵山と係合する鍵受け部が形成された。【選択図】図１０
2020073312.tif 000002
【特許請求の範囲】
【請求項１】
軸筒の先端に筆記先端が設けられ、かつ、後端に導電性を備えたタッチペンが装着された筆記具において、
前記軸筒は導電性を有し、
前記タッチペンは直接、前記軸筒の後端に装着され、
前記タッチペンと連結しており、該タッチペンと一体となった状態で前記軸筒への固定を行う導電性を備えた介在部材が設けられ、
前記介在部材の先端には、前記軸筒と係合するための鍵山が形成され、
前記介在部材の後端には、前記タッチペンが装着され、
前記軸筒の後端には、前記鍵山が通過可能な形状の鍵山挿入孔と、該鍵山挿入孔の周囲の閉塞部分であり、前記鍵山が該鍵山挿入孔を通過した後、前記介在部材を回転させることで、該鍵山と係合する鍵受け部と、が形成されたことを特徴とする筆記具。
【請求項２】
前記鍵山は、前記介在部材の端部表面の周方向に等間隔で複数設けられ、
前記鍵山挿入孔は、前記鍵山と同形状、かつ、同間隔で複数設けられていることを特徴とする請求項１に記載の筆記具。
【発明の詳細な説明】
【技術分野】
【０００１】
本発明は、パソコン、携帯端末などの静電容量型入力装置に座標情報を入力するための静電容量型入力装置用のタッチペン付き筆記具に関する。
【背景技術】
【０００２】
近年、スマートフォンやタブレット端末の普及により静電容量型入力装置の所持率が増しており、それらの利用者の多くは、操作を指で行っている。
しかし、指での操作では、入力する液晶画面の押し間違えが生じたり、画面が汚れている場合には指の滑りが悪くなり操作性が劣ったりするという欠点があった。さらに、指にネイルを施したり爪が長かったりする場合には、画面を爪で押して操作を試みても、静電式のために爪では画面が反応しないといった欠点も指摘されている。
そこで、このような欠点を解決するため、静電容量型入力装置（スマートフォンやタブレット端末）に座標情報を入力するために用いられるコードレス型の位置指示器（いわゆるタッチペン）を用いる利用者が増加している。
【０００３】
また、このタッチペンの操作部品は使用により劣化していくため、消耗した操作部品を着脱して新たな操作部品へと交換可能な技術が、下記特許文献１に開示されている。
【先行技術文献】
【特許文献】
【０００４】
【特許文献１】特開２０１２−２２６５５４号公報
【発明の概要】
【発明が解決しようとする課題】
【０００５】
しかし、上記特許文献１の技術は、操作部品の一部を別の部材が覆っており、使用により劣化して消耗した操作部品を新たな操作部品へと交換可能するためには、まず操作部品の一部を覆う別の部材を取り外した後でないと消耗した操作部品を新たな操作部品へと交換できず、交換作業が煩雑なものであった。
そこで、本発明は、使用により劣化して消耗した操作部品を新たな操作部品へと交換する際に、容易に操作部品を着脱可能なタッチペン付き筆記具を提供することを課題とする。
【課題を解決するための手段】
【０００６】
上記課題を解決するために、本発明は、以下のような構成を備える。
（第１の発明）
本発明のうち第１の発明は、軸筒20の一端側に筆記先端61が設けられ、かつ、他端側に導電性を備えたタッチペン40が装着された筆記具10において、前記軸筒20は導電性材質を有し、前記タッチペン40は直接、前記軸筒20の他端側に装着され、前記タッチペン40と連結しており、該タッチペン40と一体となった状態で前記軸筒20への固定を行う導電性を備えた介在部材90が設けられ、前記介在部材90の表面には、前記軸筒20と係合するための鍵山91が形成され、前記軸筒20の他端には、前記鍵山91が通過可能な形状の鍵山挿入孔92が形成されており、前記鍵山挿入孔92の周囲には、前記鍵山91が該鍵山挿入孔92を通過した後、前記介在部材90を回転させることで、該鍵山91と係合する鍵受け部93が形成されたことを特徴とする。
【０００７】
本発明における軸筒20は、少なくともその後端側の部分、すなわち、タッチペン40が位置する部分の表面が導電性を有するように、たとえば、導電性樹脂又はステンレス鋼等の金属によって一体的に成形されている。
なお、軸筒20は、導電性を有しない素材とすることも可能であるが、この場合は軸筒20の表面に導電性塗料などを塗布することによって、軸筒20が導電性を有するように形成される。
筆記先端61とは、筆記具10において筆記面、たとえば紙面に直接接触する部分をいう。この筆記先端61としては、ボールペン61、シャープペンシル、フェルトペン、マーカーペン等、様々な筆記具のものが想定される。
【０００８】
タッチペン40とは、導電性を有する材質で筆記先端61のような形状に成形されたものをいう。この材質とは、導電性を有していれば特に限定はされない。
従って、この材質としては金属材料、表面にメッキ処理を施した材料、炭素材料を使用してもよく、液晶画面に接触させる関係上、より軟質なものとして、たとえばポリチオフェンあるいはポリピロールのような導電性の高分子材料を使用して形成してもよく、又は表面にコーティングして使用してもよい。
また、導電性を有する材質として、タッチペン40の表面に導電性繊維44を植毛してもよい。この導電性繊維44は、ゴム等の弾性素材を用いたものと比べて、操作時の滑りがよいことを特徴とするため、細かい写真の加工や製図、精密な絵を液晶画面上で描く場合なども用いることができる。
【０００９】
介在部材90とは、タッチペン40を間接的に軸筒20へ固定すべく、タッチペン40と連結しており、これらが一体となった状態で軸筒20への固定が行われる部材である。
介在部材90が備える鍵山91は、介在部材90の表面の少なくとも一部分から突出している突起である。
鍵山挿入孔92とは、鍵山91を通過させるべく、鍵山91が通過可能な形状に軸筒20の内部に形成された孔である。
鍵受け部93とは、鍵山91が鍵山挿入孔92を通過した後、鍵山91と係合すべく、鍵山挿入孔92の周囲に形成された閉塞部分である。
【００１０】
（第２の発明）
本発明のうち第２の発明は、前記した第１の発明の特徴に加え、前記鍵山91は、前記介在部材90の端部表面の周方向に等間隔で複数設けられ、前記鍵山挿入孔92は、前記鍵山91と同形状、かつ、同間隔で複数設けられていることを特徴とする。
第２の発明は、鍵山91と鍵山挿入孔92とを複数形成したものである。この構成によれば、複数の鍵山91が鍵受け部93と接触するため、より強固にタッチペン40と軸筒20とを固定することができる。
【発明の効果】
【００１１】
本発明は、以上のように構成されているので、以下の効果を奏する。
（第１の発明の効果）
第１の発明によれば、タッチペンと介在部材とが一体となっており、この介在部材と軸筒との固定を解除することでタッチペンをも軸筒から取り外すことができるように形成したことで、消耗したタッチペンを新たなタッチペンへと交換することが容易なタッチペン付き筆記具を提供することができる。
さらに、タッチペンと一体化した介在部材を介して、タッチペンが軸筒に固定されるように形成したことにより、軸筒からタッチペンまでの間に存在する部材数を少なくすることができたため、タッチペンへより多くの静電容量が供給可能なタッチペン付き筆記具を提供することができる。
【００１２】
（第２の発明の効果）
第２の発明によれば、鍵山及び鍵山挿入孔が複数形成されていることにより、鍵山と鍵
受け部との抜け止め作用がより強固なものとなるため、タッチペンを別の部材を介さずとも確実に軸筒に固定可能なタッチペン付き筆記具を提供することができる。
【図面の簡単な説明】
【００１３】
【図１】本発明の実施形態に係る筆記具の没入状態における側面図（Ａ）及び側面断面図（Ｂ）である。
【図２】本発明の実施形態に係る筆記具の没入状態における斜視図である。
【図３】本発明の実施形態に係る筆記具の突出状態における側面図（Ａ）及び側面断面図（Ｂ）である。
【図４】本発明の実施形態に係る筆記具の突出状態における斜視図である。
【図５】本発明の実施形態に係るタッチペンの断面図である。
【図６】本発明の実施形態に係るスライドノック部材の斜視図（Ａ）及び平面図（Ｂ）である。
【図７】本発明の実施形態に係る軸筒とスライドノック部材との没入状態における断面図（Ａ）及び突出状態における断面図（Ｂ）である。
【図８】本発明の第１の実施の形態に係るタッチペンと軸筒との固定状態を示した断面図である。
【図９】本発明の第２の実施の形態に係るタッチペンと軸筒との固定状態を示した断面図である。
【図１０】本発明の第３の実施の形態に係るタッチペンと軸筒との固定状態を示した断面図である。
【発明を実施するための形態】
【００１４】
以下、図面を参照しつつ、本発明の実施形態に係る筆記具10として、軸筒20の後端に導電性を有するタッチペン40を備え、軸筒20の先端には筆記先端61としてのボールペン61を備えたタッチペン40付き筆記具10を例に説明する。なお、本発明において、筆記具10及びその構成部品についての「前方」とは筆記先端61としてのボールペン61を備えた方向を示し、「後方」とはその反対側の方向を示すものとする。
（第１の実施の形態）
（全体構成）
本発明の実施形態に係る筆記具10は、図１（Ａ）に示すように、軸筒20と、この軸筒20の先端に装着された先軸30と、軸筒20の後端に装着された導電性を有するタッチペン40と、タッチペン40と軸筒20の後端側付近との間に配置されたスライドノック部材50とを備えた外観を呈している。なお、図１（Ｂ）に示すように、筆記具10の内部には、ボールペンリフィル60が収容されており、その先端には筆記先端61としてのボールペン61を備えている。
【００１５】
ここで、本発明の実施形態においては、筆記具10からボールペン61が突出している状態を「突出状態」とし、ボールペン61が筆記具10内に収容されている状態を「没入状態」とする。
（軸筒20）
図１（Ｂ）に示すように、軸筒20とは、筆記具10の外部構造として使用者に把持される中空の筒形部材であって、この筒型形状の胴部分を構成する軸筒胴部21と、この軸筒胴部21の後端に連接し、その後方にかけて外径が縮径された軸筒後部22とから構成されている。また、軸筒20の側面の一部は開口されており、２つのスリット24が軸心を挟んで対向するように形成されている。このスリット24の長さを最大範囲として、後述するスライドノック部材50が前後方向にスライド移動可能となっている。なお、軸筒胴部21の先端には、後述する先軸雄ネジ33と螺合すべく、軸筒雌ネジ25が形成されている。
【００１６】
ここで、本発明の実施形態に係る軸筒20は、少なくともその後端側の部分、すなわち、タッチペン40と接する軸筒後部22の表面が導電性を有するように、たとえば、導電性樹脂又はステンレス鋼等の金属によって一体成形されている。
そのため、本発明の実施形態に係る筆記具10を形成する上で、軸筒20からタッチペン40までの間に介在する部材数を少なくすることができ、静電容量を減衰させずにタッチペン40への導電を行うことが可能となっている。
（先軸30）
先軸30とは、筆記具10の外部構造のうち、その先端は先細り形状を呈した中空の筒形部材である。図１（Ｂ）に示すように、先軸30は、その先端側から順に、先軸30の先端面に設けられた開口部分である先端口34と、その前方にかけて外径が縮径された先軸前部31と、先軸前部31の後端付近の内周に形成された先軸雄ネジ33と、先軸雄ネジ33の後方に連接する筒形状の先軸後部32とから構成されている。
【００１７】
ここで、先軸30と軸筒20とは、先軸雄ネジ33と、軸筒雌ネジ25とを螺合させることにより固定される。なお、上記「雄ネジ」、「雌ネジ」の選択は特に限定されるものではなく、「先軸雌ネジ」と「軸筒雄ネジ」として形成して、これらを螺合させることにより先軸30と軸筒20とを固定することも可能である。
また、本発明の実施形態に係る筆記具10は、先軸30は非導電性材質から形成し、軸筒20は導電性材質から形成して、この両者を結合することでその外部構造を構成している。
なお、先軸30を軸筒20と同じく導電性材質で形成してもよいが、その場合には、筆記具10の内部機構を含めた部品成形が困難となることや、筆記中にタッチペン40が予期せずに静電容量型入力装置に触れたときに、誤作動を起こす懸念が生じる。
【００１８】
したがって、先軸30は、部品成形の容易性や誤作動防止の観点から、非導電性プラスチックなどの非導電性材質から形成されることで、導電性を有しないこととするのが望ましい。
一方、軸筒20及び先軸30を非導電性材質で形成し、軸筒20の表面に金属製の筒構造を被覆したり、軸筒20の表面に金属メッキを施したりすることによって、軸筒20の表面のみが導電性を有するように形成してもよい。上記のいずれの場合においても、少なくとも、軸筒20の表面は導電性を有するように形成されている。
【００１９】
（タッチペン40）
図５に示すように、タッチペン40は、本発明の実施形態に係る筆記具10において、静電容量型入力装置の操作を行う部分である。
図５に示すように、タッチペン40は、軸筒後部22を覆って装着される半球状に形成されたゴム部材41と、このゴム部材41の表面に静電植毛された導電性繊維44とから構成されている。
ここで、ゴム部材41は、その半球状の開口部分付近の外径方向に円盤状に形成された平面部42と、平面部42の外周面から軸筒後部22までを覆う部材であって、軸筒後部22の外径よりも大きい内径を有するように半球状に形成されたゴム半球部43と、ゴム半球部43の外周に形成され、内方に向けて突出した段差を有するタッチペン外方段部46とから構成されている。なお、本発明の実施形態に係るゴム部材41は、導電性ゴムを用いて形成されているため、タッチペン40表面への導電経路を妨げることはない。
【００２０】
また、ゴム部材41は半球状を呈するため、その内部には空間部45が形成されている。なお、このゴム部材41は、タッチペン40が静電容量型入力装置に強く押しつけられた際には、空間部45の体積分だけ弾性変形して、軸筒後部22によって受け止められることとなっているため、静電容量型入力装置の液晶画面の破損を防止することができる。
そして、本発明の実施形態に係るタッチペン40は、ゴム半球部43の表面に導電性繊維44が静電植毛された後、軸筒20に装着される。
（スライドノック部材50）
図６に示すように、スライドノック部材50は、スリット24の一方に沿ってスライド移動するスライド突起51と、スライド突起51の後端側に連接する板状の平板部55と、平板部55の先端に連接している挿入部54と、平板部55と挿入部54との間に形成されたスプリング受け段差56と、平板部55の後端上から外方に突出している係止突起53と、他方のスリット24に沿ってスライド移動する解除突起52とから構成されている。
【００２１】
（スライド突起51）
スライド突起51とは、常に一方のスリット24から突出しており（図１〜図４参照。）、使用者がこのスライド突起51を前方にスライド移動させることで、ボールペン61の突出に関与する部材である。
また、図１（Ｂ）に示すように、スライド突起51はその先端に、軸筒20に向けて突出するクリップ57が設けられており、衣服のポケット等をこのクリップ57と軸筒20の外周面との間で挟持することにより、筆記具10が衣服に保持できることとなっている。
【００２２】
なお、スライドノック部材50は全構成部材が一体となっており、スライド突起51の前後へのスライド移動に伴って、他の部材も連動して、スライド突起51と同一方向にスライド移動するように形成されている。
（平板部55）
平板部55とは、スライドノック部材50の胴部分を構成するものであり、その全体が軸筒20内に収容される部材である。この平板部55は、スライド突起51の前後へのスライド移動に連動して軸筒20内をスライド移動する。
【００２３】
（挿入部54）
挿入部54とは、平板部55の先端に連接し、ボールペンリフィル60の後端に挿入される部材である。この挿入部54は、スライド突起51の前方へのスライド移動の際には、このスライド移動に連動して、ボールペンリフィル60を前方に押し出しながら軸筒20内をスライド移動する。
（スプリング受け段差56）
スプリング受け段差56とは、平板部55と挿入部54との間に形成された段差であって、この段差に接触するようにスプリング62が装着される（図１（Ｂ）、図３（Ｂ）参照。）。このスプリング受け段差56は、スライド突起51が前方へスライド移動すると、このスライド移動に連動して、スプリング62を先軸胴部32の後端との間で圧縮させる。
【００２４】
（係止突起53）
係止突起53とは、その突起が後述するレール部23を乗り越え、かつ、スプリング62の弾性作用により係止突起53がレール部23に押圧されることで、突出状態の維持を図る部材である。なお、係止突起53の作用については後述する。
（解除突起52）
解除突起52とは、筆記具10が没入状態から突出状態へ変化したことを契機に、他方のスリット24から突出し、その突起を押圧することでボールペン61の没入に関与する部材である。なお、解除突起52の作用については後述する。
【００２５】
（レール部23）
図７に示すように、レール部23とは、軸筒20内部に形成されており、断面逆L字状を呈した部材である。
図７（Ａ）は、没入状態における軸筒20とスライドノック部材50との断面図であり、没入状態においては、レール部23と軸筒20の内周面との間に係止突起53が位置している。
一方、図７（Ｂ）は、突出状態における軸筒20とスライドノック部材50との断面図であり、突出状態においては、係止突起53がレール部23を乗り越えてレール部23の直前に位置している。
【００２６】
（没入状態から突出状態への変遷）
以下、本発明の実施形態に係る筆記具10が没入状態から突出状態へ移動し、再び没入状態に戻るまでの流れを説明する。
（１）  没入状態から突出状態への変化
図２は筆記具10の没入状態を示した斜視図であり、図１（Ｂ）は筆記具10の没入状態を示した断面図である。この状態からスライド突起51を前方へスライド移動させると、ボールペンリフィル60の後端に挿入された挿入部54が、スライド突起51のスライド移動に連動して、ボールペンリフィル60を前方に押し出しながら軸筒20内をスライド移動することで、先端口34からボールペン61が突出し、筆記具10が「没入状態」から「突出状態」へ移動する。
【００２７】
ここで、「没入状態」から「突出状態」へ移動した場合には、図７（Ｂ）に示すように、係止突起53がレール部23を乗り越えてレール部23の直前に位置しており、この係止突起53が前方からスプリング62にレール部23に対して押圧されることで、筆記具10の突出状態を維持している。
すなわち、突出状態に至るまでスライド突起51を前方へスライド移動させると、このスライド移動に連動してレール部23上をスライド移動していた係止突起53がレール部23上から軸心方向へ陥落して、係止突起53がレール部23の直前に位置する。
【００２８】
そして、スライド突起51のスライド移動に連動して、スプリング受け段差56と先軸胴部32の後端との間でスプリング62が圧縮されるため、このスプリング62の付勢力により係止突起53が前方からレール部23に押圧されることで、筆記具10の突出状態が維持されている。
なお、係止突起53がレール部23上から陥落するのと同時に、他方のスリット24から解除突起52が突出する。
（２）  突出状態から没入状態への変化
図４は筆記具10の突出状態を示した斜視図であり、図３（Ｂ）は筆記具10の突出状態を示した断面図である。この状態から解除突起52を押圧すると、係止突起53がスプリング62によってレール部23に押圧されている状態が解除され、係止突起53がレール部23上に復帰する。その結果、スプリング受け段差56と先軸胴部32の後端との間で圧縮されていたスプリング62が開放され、このスプリング62の弾性作用によりスライドノック部材50が後方へスライド移動して、筆記具10が「突出状態」から「没入状態」へ戻ることとなる。
【００２９】
（タッチペン40と軸筒20との固定方法）
本発明の第１の実施の形態におけるタッチペン40と軸筒20との固定方法は、タッチペン40を直接、軸筒20に固定するものである。以下、図８を参照して説明する。
図８は、軸筒後部22の拡大断面図であり、タッチペン40と軸筒20との固定方法を示したものである。図８に示すように、タッチペン40の先端側の内周面には、全周に渡って突出したタッチペン内方段部47が形成されている。
一方、軸筒後部22はその後端部分に、タッチペン40に被覆される筒型形状のタッチペンホルダー70と、タッチペン40を固定すべく、軸筒後部22の後端部分を開口して形成された圧入溝72とを備えている。なお、この圧入溝72の幅は、タッチペン40の厚みよりもやや狭くなるように形成されている。
【００３０】
また、タッチペンホルダー70の先端部分には、タッチペン内方段部47と係合すべく、タッチペンホルダー70の全周に渡って係合溝71が形成されている。
このとき、タッチペン40と軸筒20との固定方法は、タッチペン内方段部47が係合溝71に収容されるまでタッチペン40を直接、軸筒後部22内に圧入するものである。すなわち、タッチペン内方段部47及び係合溝71の抜け止め作用と、圧入溝72による加圧とでタッチペン
40を軸筒20に固定するものである。
（第２の実施の形態）
以下、図９を参照して、本発明の実施の形態に係る第２の実施の形態を説明する。また、第２の実施の形態において、第１の実施の形態と同一の構成要素には、第１の実施の形態において用いた符号と同一の符号を用いている。そして、第１の実施の形態と重複する部分は説明を省略し、第２の実施の形態における特徴点を中心に説明する。
【００３１】
（タッチペン40と軸筒20との固定方法）
本発明の第２の実施の形態におけるタッチペン40と軸筒20との固定方法は、タッチペン40のみを直接、軸筒20と固定させずに、タッチペン40の軸筒20への固定を補助する筒形状の固定部材80を設け、この固定部材80を介してタッチペン40を軸筒20に固定するものである。以下、図９を参照して説明する。
図９は、軸筒後部22の拡大断面図であり、タッチペン40と軸筒20との固定方法を示したものである。図９に示すように、タッチペン40の先端側の外周面には、全周に渡って突出したタッチペン外方段部46が形成されている。
【００３２】
一方、固定部材80は、タッチペン40と係合すべく、固定部材80の後端側に形成された固定部材内方段部81と、軸筒後部22と螺合すべく、固定部材80の内周に形成された固定部材雌ネジ82とを備えている。なお、軸筒後部22の外周には、固定部材雌ネジ82と螺号すべく、軸筒後部雄ネジ83が形成されている。
このとき、タッチペン40と軸筒20との固定方法は、タッチペン外方段部46と固定部材内方段部81とを係合させた後、固定部材雌ネジ82と軸筒後部雄ネジ83とを螺合させることにより、固定部材80を介してタッチペン40を軸筒20に固定するものである。なお、上記「雄ネジ」、「雌ネジ」の選択は特に限定されるものではなく、「軸筒後部雌ネジ」と「固定部材雄ネジ」として形成して、これらを螺合させることにより軸筒後部22と固定部材80とを固定することも可能である。
【００３３】
（第３の実施の形態）
以下、図１０を参照して、本発明の実施の形態に係る第３の実施の形態を説明する。また、第３の実施の形態において、第１、第２の実施の形態と同一の構成要素には、第１、第２の実施の形態において用いた符号と同一の符号を用いている。そして、第１、第２の実施の形態と重複する部分は説明を省略し、第３の実施の形態における特徴点を中心に説明する。
（タッチペン40と軸筒20との固定方法）
本発明の第３の実施の形態におけるタッチペン40と軸筒20との固定方法は、タッチペン40のみを直接、軸筒20と固定させずに、タッチペン40の軸筒20への固定を補助する筒形状の介在部材90を設け、この介在部材90を介してタッチペン40を軸筒20に固定するものである。以下、図１０を参照して説明する。
【００３４】
図１０は、軸筒後部22の拡大断面図であり、タッチペン40と軸筒20との固定方法を示したものである。図１０（Ａ）に示すように、タッチペン40の先端側の内周面には、全周に渡って突出したタッチペン内方段部47が形成されている。
一方、介在部材90は、図１０（Ａ）に示すように、タッチペン内方段部47と係合すべく、介在部材90の全周に渡って形成された係合溝71と、介在部材90の先端側の一部から外方に突出した鍵山91（図１０（Ｂ）参照。）とを備えている。なお、軸筒後部22の内部には、鍵山91を通過させるべく、鍵山91が通過可能な形状に開口された鍵山挿入孔92と、この鍵山挿入孔92を鍵山91が通過した後、鍵山91と係合すべく、鍵山挿入孔92の周囲の閉塞部分である鍵受け部93とを備えている。
【００３５】
このとき、タッチペン40と軸筒20との固定方法は、タッチペン内方段部47を係合溝71に
収容させた後、タッチペン40と一体になった介在部材90を軸筒後部22に挿入して、鍵山挿入孔92を鍵山91が通過した後、介在部材90を回転させて、鍵山挿入孔92から鍵山91を引き離すものである。すなわち、鍵山91と鍵受け部93とを接触させることにより、鍵山91及び鍵受け部93の各々が抜け止めとなるので、タッチペン40を引き抜くことができないこととなっている。
（本発明の実施の形態に係る筆記具10の作用効果）
本発明の実施の形態に係る筆記具10は、以上のように構成されているので、以下の作用効果を奏する。
【００３６】
本発明の実施の形態に係る筆記具10は、軸筒20を導電性材質から一体成形したことにより、軸筒20からタッチペン40までの間を単一部材とすることができたため、タッチペン40へより多くの静電容量が供給可能となる結果、反応性に富み、スムーズな操作が可能なタッチペン40付き筆記具10を提供することができる。
また、本発明の第１の実施の形態における筆記具10は、タッチペン40が直接、軸筒20に固定されるように形成したことで、他の部材を介さずタッチペン40を軸筒20に固定することができたため、タッチペン40へより多くの静電容量が供給可能となる結果、反応性に富み、スムーズな操作が可能なタッチペン40付き筆記具10を提供することができる。
【００３７】
さらに、軸筒20からタッチペン40までの間を単一部材としたことにより、タッチペン40付き筆記具10に用いられる部材数を減少させることができたため、製作面及びコスト面にも優れたものとなる。
また、本発明の第２の実施の形態における筆記具10は、タッチペン40自体を軸筒20に固定させずに、固定部材80を介して軸筒20と固定するように形成したため、タッチペン40交換時にタッチペン40を容易に軸筒20から取り外すことができるので、消耗したタッチペン40を容易に交換可能なタッチペン40付き筆記具10を提供することができる。
【００３８】
さらに、本発明の第３の実施の形態における筆記具10は、タッチペン40の一部を覆うことなく一体化した介在部材90を介して、タッチペン40が軸筒20に固定されるように形成したため、タッチペン40の導電経路上に他の部材が存在しないこととなる結果、本発明の第２の実施の形態と比べて、タッチペン40へより多くの静電容量が供給可能なタッチペン40付き筆記具10を提供することができる。
（その他）
上記の実施の形態の他、本発明には、以下に示すような変形例も可能である。
【００３９】
タッチペン40は、導電性のある材質で形成されていればペン芯形状に限定されず、ブラシ状、ハケ状、スポンジ状、球状のゴムなどで形成することもできる。
また、ボールペンリフィル60に収容されるインクを、公知である熱変色性インク又は消しゴム消去性インクとしてもよい。このとき、後端に装着されるタッチペン40部分を、上記のインクに応じて熱可塑性エラストマー又は消しゴムで形成されたゴム弾性を有する材料とすることによって感圧式タッチペンや消せるノック式ボールペン、熱変色性筆記具として形成することとしてもよい。
【符号の説明】
【００４０】
10  筆記具  
20  軸筒                                  21  軸筒胴部
22  軸筒後部                              23  レール部
24  スリット                              25  軸筒雌ネジ  
30  先軸                                  31  先軸前部
32  先軸後部                              33  先軸雄ネジ
34  先端口
40  タッチペン                            41  ゴム部材
42  平面部                                43  ゴム半球部
44  導電性繊維                            45  空間部
46  タッチペン外方段部（外方段部）        47  タッチペン内方段部（凸部）
50  スライドノック部材                    51  スライド突起
52  解除突起                              53  係止突起
54  挿入部                                55  平板部
56  スプリング受け段差                    57  クリップ
60  ボールペンリフィル                    61  ボールペン（筆記先端）
62  スプリング
70  タッチペンホルダー                    71  係合溝（凹部）
72  圧入溝
80  固定部材                              81  固定部材内方段部（内方段部）
82  固定部材雌ネジ                        83  軸筒後部雄ネジ
90  介在部材                              91  鍵山
92  鍵山挿入孔                            93  鍵受け部
【図１】
2020073312.tif 000003
【図２】
2020073312.tif 000004
【図３】
2020073312.tif 000005
【図４】
2020073312.tif 000006
【図５】
2020073312.tif 000007
【図６】
2020073312.tif 000008
【図７】
2020073312.tif 000009
【図８】
2020073312.tif 000010
【図９】
2020073312.tif 000011
【図１０】
2020073312.tif 000012
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
軸筒の先端に熱変色性インクが筆記可能な筆記先端が設けられ、かつ、後端に熱可塑性エラストマーで形成されたゴム弾性を有する材料が装着された熱変色性筆記具において、
前記ゴム弾性を有する材料は直接、前記軸筒の後端に装着され、
前記ゴム弾性を有する材料と連結しており、該ゴム弾性を有する材料と一体となった状態で前記軸筒への固定を行う介在部材が設けられ、
前記介在部材の先端には、前記軸筒と係合するための鍵山が形成され、
前記介在部材の後端には、前記ゴム弾性を有する材料が装着され、
前記軸筒の後端には、前記鍵山が通過可能な形状の鍵山挿入孔と、該鍵山挿入孔の周囲の閉塞部分であり、前記鍵山が該鍵山挿入孔を通過した後、前記介在部材を回転させることで、該鍵山と係合する鍵受け部と、が形成されたことを特徴とする熱変色性筆記具。
【請求項２】
前記鍵山は、前記介在部材の端部表面の周方向に等間隔で複数設けられ、
前記鍵山挿入孔は、前記鍵山と同形状、かつ、同間隔で複数設けられていることを特徴とする請求項１に記載の熱変色性筆記具。
【手続補正３】
【補正対象書類名】明細書
【補正対象項目名】００２３
【補正方法】変更
【補正の内容】
【００２３】
（挿入部54）
挿入部54とは、平板部55の先端に連接し、ボールペンリフィル60の後端に挿入される部材である。この挿入部54は、スライド突起51の前方へのスライド移動の際には、このスライド移動に連動して、ボールペンリフィル60を前方に押し出しながら軸筒20内をスライド移動する。
（スプリング受け段差56）
スプリング受け段差56とは、平板部55と挿入部54との間に形成された段差であって、この段差に接触するようにスプリング62が装着される（図１（Ｂ）、図３（Ｂ）参照。）。このスプリング受け段差56は、スライド突起51が前方へスライド移動すると、このスライド移動に連動して、スプリング62を先軸後部32の後端との間で圧縮させる。
【手続補正４】
【補正対象書類名】明細書
【補正対象項目名】００２８
【補正方法】変更
【補正の内容】
【００２８】
そして、スライド突起51のスライド移動に連動して、スプリング受け段差56と先軸後部32の後端との間でスプリング62が圧縮されるため、このスプリング62の付勢力により係止突起53が前方からレール部23に押圧されることで、筆記具10の突出状態が維持されている。
なお、係止突起53がレール部23上から陥落するのと同時に、他方のスリット24から解除突起52が突出する。
（２）  突出状態から没入状態への変化
図４は筆記具10の突出状態を示した斜視図であり、図３（Ｂ）は筆記具10の突出状態を示した断面図である。この状態から解除突起52を押圧すると、係止突起53がスプリング62によってレール部23に押圧されている状態が解除され、係止突起53がレール部23上に復帰する。その結果、スプリング受け段差56と先軸後部32の後端との間で圧縮されていたスプリング62が開放され、このスプリング62の弾性作用によりスライドノック部材50が後方へスライド移動して、筆記具10が「突出状態」から「没入状態」へ戻ることとなる。